(57)【要約】      （修正有）【課題】モーターとコンプレッサーを直接接続することで、部品の数を減らし、コストを下げて占用スペースを小さくできるコンプレッサーセットの構造を提供する。 【解決手段】主にコンプレッサー及びモーターで構成するコンプレッサーセットの構造であり、コンプレッサー１は本体１１を具有し、本体の片側に伝動軸を設置する。モーター２は座体２１を具有し、座体内に固定子２２を設置し、固定子内に回転子２３を設置する。連動部品２４を介して、コンプレッサー伝動軸の末端に設けたネジ部１２２をナット２５で締めることにより、回転子はコンプレッサーの伝動軸と直接接続される。【選択図】図３
0003195864.tif 000002
【実用新案登録請求の範囲】
【請求項１】
コンプレッサー及びモーターを含み、
該コンプレッサーは本体を具有し、本体の片側に伝動軸を設置し、
該モーターは座体を具有し、座体内に固定子を設置し、固定子内に回転子を設置し、且つ回転子はコンプレッサーの伝動軸と接続することを特徴とするコンプレッサーセットの構造。
【請求項２】
前記モーターの回転子は回転子の両側表面を貫通する空所部を具有し、且つ回転子の片側に連動部品を設置し、連動部品はスプライン穴を具有し、
コンプレッサーの伝動軸は本体片側の外周に近い表面にスプライン部を設置し、伝動軸の末端の外周表面にネジ部を設置し、
ネジ部を順に回転子の空所部と連動部品のスプライン穴を通して連動部品から露出することで、スプライン部をスプライン穴とドッキングし、更にネジ部にナットを締めることを特徴とする請求項１記載のコンプレッサーセットの構造。
【請求項３】
前記コンプレッサーの本体の片側にサポート部を設置し、伝動軸はサポート部から露出し、且つサポート部の外側にベアリングを設置し、回転子の空所部にベアリングを套設することを特徴とする請求項２記載のコンプレッサーセットの構造。
【請求項４】
前記モーターの回転子の片側表面に定位穴を設置し、連動部品の片側表面に定位柱を凸設し、定位柱は定位穴内に定位することを特徴とする請求項２記載のコンプレッサーセットの構造。
【請求項５】
前記コンプレッサーに本体を具有し、本体の伝動軸に近い表面に第一鍵穴を設置し、且つ本体表面に連接盤を設置し、連接盤に第一穴及び第二鍵穴を設置し、
第一穴内に錠固部品を設置することで該錠固部品は本体の第一鍵穴内に錠固し、
モーターの座体に定位穴を設置し、且つ座体の片側に蓋を設置し、蓋に第二穴を設置し、且つ第二穴内に錠固部品を設置し、錠固部品は座体の定位穴を通して連接盤の第二鍵穴と錠固することを特徴とする請求項１記載のコンプレッサーセットの構造。
【請求項６】
前記モーターの座体外周表面に放熱フィンを設置することを特徴とする請求項１記載のコンプレッサーセットの構造。
【請求項７】
前記モーターの固定子の内側にサークル状に複数のコイルを配列し、回転子の外周表面にサークル状に複数の磁石を配列することを特徴とする請求項１記載のコンプレッサーセットの構造。
【考案の詳細な説明】
【技術分野】
【０００１】
本考案はコンプレッサーセットの構造に関し、特にコンプレッサーの伝動軸をモーター回転子に接続することで、コストを下げ、及び使用スペースを小さくするコンプレッサーセットの構造に関する。
【背景技術】
【０００２】
コンプレッサーは広く車両や冷蔵庫、クーラーなどの製品に使用しているが、コンプレッサーその物は自主回転できず、モーター或いはエンジンを通じて駆動する必要がある。図１に示すように、従来技術のコンプレッサー７はベルト９をコンプレッサー７のプーリー７１とモーター８のプーリー８１と接続し、モーター８の回転によりコンプレッサーを回転させる。ただ、この方法の場合は比較的多い部品の設置が必要であり、コストがアップするほか、部品が多ければ損壊する確率も高い。また、コンプレッサー７とモーター８(或いはエンジン)はベルト９を使った伝動が必要になるため、比較的大きいスペースを占めることになる。よって従来のコンプレッサーとモーター(或いはエンジン)の伝動方法を改善する必要があった。
【先行技術文献】
【特許文献】
【０００３】
【特許文献１】特開２０１３−２１５１８２号公報
【考案の概要】
【考案が解決しようとする課題】
【０００４】
前記公知構造の欠点を解決するため、本考案はモーターとコンプレッサーを直接連結することで部品の数とコスト、損壊確率及び使用スペースを減らせるコンプレッサーセットの構造を提供することを主な課題とする。
【課題を解決するための手段】
【０００５】
上述の目的を解決するために、本考案はコンプレッサーセットの構造を提供するものである。本考案のコンプレッサーセットはコンプレッサー及びモーターを含み、該コンプレッサーは本体を具有し、本体の片側に伝動軸を設置する。モーターは座体を具有し、座体内に固定子を設置し、固定子内に回転子を設置し、且つ回転子はコンプレッサーの伝動軸と接続する
【０００６】
前記コンプレッサーセットのモーターの回転子は回転子の両側表面を貫通する空所部を具有し、且つ回転子の片側に連動部品を設置し、連動部品はスプライン穴を具有する。コンプレッサーの伝動軸は本体片側の外周に近い表面にスプライン部を設置し、伝動軸の末端の外周表面にネジ部を設置する。ネジ部を順に回転子の空所部と連動部品のスプライン穴を通して連動部品から露出することで、スプライン部をスプライン穴とドッキングし、更にネジ部にナットを締める。
【０００７】
前記コンプレッサーセットの該コンプレッサーの本体の片側にサポート部を設置し、伝動軸はサポート部から露出し、且つサポート部の外側にベアリングを設置し、回転子の空所部にベアリングを套設する。
【０００８】
前記コンプレッサーセットのモーターの回転子の片側表面に定位穴を設置し、連動部品の片側表面に定位柱を凸設し、定位柱は定位穴内に定位する。
【０００９】
前記コンプレッサーセットのコンプレッサーに本体を具有し、本体の伝動軸に近い表面に第一鍵穴を設置し、且つ本体表面に連接盤を設置し、連接盤に第一穴及び第二鍵穴を設置する。第一穴内に錠固部品を設置することで該錠固部品は本体の第一鍵穴内に錠固する。モーターの座体に定位穴を設置し、且つ座体の片側に蓋を設置し、蓋に第二穴を設置し、且つ第二穴内に錠固部品を設置する。錠固部品は座体の定位穴を通して連接盤の第二鍵穴と錠固する。
【００１０】
前記コンプレッサーセットのモーターの座体外周表面に放熱フィンを設置する。
【００１１】
前記コンプレッサーセットのモーターの固定子の内側にサークル状に複数のコイルを配列し、回転子の外周表面にサークル状に複数の磁石を配列する。
【考案の効果】
【００１２】
本考案の構造により、モーターとコンプレッサーを直接接続することで、部品の数を減らし、コストを下げて占用スペースを小さくできる。また、コンプレッサー１とモーター２はスプラインを使って接続するため、有効的に損壊率を下げ、使用寿命を延長する。
【図面の簡単な説明】
【００１３】
【図１】従来技術のコンプレッサーとモーターの接続略図である。
【図２】本考案の立体外観図である。
【図３】本考案の局部部品の立体外観図である。
【図４】本考案の連動部品の立体外観図である。
【図５】本考案の立体分解図である。
【図６】本考案の断面図である。
【考案を実施するための形態】
【００１４】
以下、本考案の構造と特徴および効果を、最良実施例と図面を参照しながら詳細に説明する。
【実施例】
【００１５】
図２から図６に示すように、本考案のコンプレッサーセットはコンプレッサー１及びモーター２を含む。
【００１６】
該コンプレッサー１は本体１１及び連接盤１３を具有し、本体１１の片側にサポート部１４と伝動軸１２を設置し、伝動軸１２はサポート部１４の中心から露出し、且つサポート部１４の外側にベアリング１５を設置する。伝動軸１２は本体１１片側の外周に近い表面にスプライン部１２１を設置し、伝動軸１２の末端の外周表面にネジ部１２２を設置し、且つ本体１１の伝動軸１２に近い表面に第一鍵穴１１１を設置する。該連接盤１３に中空部１３３を設置し、中空部１３３の外側に第一穴１３１を設置し、第一穴１３１の外側に第二鍵穴１３２を設置する。且つ第一穴１３１内に錠固部品３を設置し、該錠固部品３は本体１１の第一鍵穴１１１内に錠固することで、連接盤１３を本体１１に固定し、且つ伝動軸１２は連接盤１３の中空部より露出する。
【００１７】
該モーター２は座体２１を具有し、座体２１の片側に蓋２６を設置し、蓋２６に第二穴２６１を設置し、且つ第二穴２６１内に錠固部品４を設置する。座体２１内に固定子２２を設置し、固定子２２内に回転子２３を設置する。座体２１の外周表面に定位穴２１１と放熱フィン２１２を設置し、固定子２２の内側にサークル状に複数のコイル２２１を配列し、回転子２３の外周表面にサークル状に複数の磁石２３３を配列する。更に回転子２３は回転子２３の両側表面を貫通する空所部２３１を具有し、回転子２３の片側に連動部品２４を設置し、連動部品２４はスプライン穴２４１を具有する。且つ回転子２３の片側表面に定位穴２３２を設置し、連動部品２４の片側表面に定位柱２４２を凸設し、定位柱２４２は定位穴２３２内に定位する。
【００１８】
モーター２をコンプレッサー１と接続する際、まずモーター２の座体２１をコンプレッサー１の連接盤１３の上に置き、コンプレッサー１のネジ部１２２を順に回転子２３の空所部２３１と連動部品２４のスプライン穴２４１を通して連動部品２４から露出することで、伝動軸１２のスプライン部１２１をスプライン穴２４１とドッキングし、更にネジ部１２２にナット２５を締める。回転子２３の空所部２３１にベアリング１５を套設し、引き続き蓋２６を座体２１に蓋合し、且つ錠固部品４を座体２１の定位穴２１１に通してから連接盤１３の第二鍵穴１３２と錠固する。よって座体２１は連接盤１３に固定して本考案の組立てが完成し、モーター２の回転子２３がコンプレッサー１の伝動軸１２と接続する。
【００１９】
上記により、モーター２が作動するとき、該回転子２３の回転により、同時にコンプレッサー１の伝動軸１２を回転させることでコンプレッサー１が作動する。モーター２の回転子２３は直接コンプレッサー１と一緒に作動するため、大幅に全体の体積及び設置コストを下げることになる。またコンプレッサー１とモーター２はスプラインを使って接続するため、有効的に損壊率を下げ、使用寿命を延長する。
【００２０】
以上の説明は本考案の一つの実施例の詳細な説明であり、本考案の範囲を制限するものではない。本考案の範囲内にて行う変更や調整を行っても、本考案の重要な意義は失われず、本考案の範囲に含まれる。
【符号の説明】
【００２１】
００１  コンプレッサー
０１１  本体
１１１  第一鍵穴
０１２  伝動軸
１２１  スプライン部
１２２  ネジ部
０１３  連接盤
１３１  第一穴
１３２  第二鍵穴
１３３  中空部
０１４  サポート部
０１５  ベアリング
００２  モーター
０２１  座体
２１１  定位穴
２１２  放熱フィン
０２２  固定子
２２１  コイル
０２３  回転子
２３１  空所部
２３２  定位穴
２３３  磁石
０２４  連動部品
２４１  スプライン穴
２４２  定位柱
０２５  ナット
０２６  蓋
２６１  第二穴
００３  錠固部品
００４  錠固部品
００７  コンプレッサー
０７１  プーリー
００８  モーター
０８１  プーリー
００９  ベルト
【図１】
0003195864.tif 000003
【図２】
0003195864.tif 000004
【図３】
0003195864.tif 000005
【図４】
0003195864.tif 000006
【図５】
0003195864.tif 000007
【図６】
0003195864.tif 000008